(57)【要約】【課題】  未完成状態の掲示板文書を閲覧許可者以外の者に閲覧されることを防止するとともに、閲覧許可者以外の掲示板利用者が未完成状態の掲示板文書を閲覧することを防止する。【解決手段】  掲示板文書の作成状態と掲示板の利用者に応じて端末装置における掲示板文書の表示を制御する（例えば、利用者（ログインユーザ）自身の作成中文書は、一覧画面にタイトルと作成中マークとを表示し（ｄ）、利用者以外の作成中文書はタイトルを表示せずに作成中マークのみを表示する（ｃ））。これにより、作成者は未完成状態の掲示板文書を他者に閲覧されることを防止することができ、また、作成者以外の掲示板利用者は未完成状態の掲示板文書を閲覧することがなくなるので、操作性の高い掲示板を提供することができる。【選択図】    図７
2006139658.tif 000002
【特許請求の範囲】
【請求項１】
複数の端末装置をネットワークを介して接続し、前記端末装置から入力された利用者の意見である掲示板文書の投稿、閲覧を可能とする電子掲示板装置において、
投稿の際に、前記掲示板文書の文書状態の入力を許容する文書状態入力手段と、
この文書状態入力手段により入力された前記掲示板文書の文書状態を、当該掲示板文書に対応付けて保持する文書状態保持手段と、
投稿された前記掲示板文書の表示の際に、当該掲示板文書の文書状態が未完成状態であるか否かを前記文書状態保持手段によって保持されている文書状態に基づいて判断する文書状態判断手段と、
この文書状態判断手段により投稿された前記掲示板文書の文書状態が未完成状態であると判断された場合、当該掲示板文書の閲覧が許可されている閲覧許可者がログインした前記端末装置に限り当該掲示板文書を閲覧可能に表示する文書表示手段と、
を備えることを特徴とする電子掲示板装置。
【請求項２】
前記閲覧許可者は、前記掲示板文書の作成者である、
ことを特徴とする請求項１記載の電子掲示板装置。
【請求項３】
前記閲覧許可者は、掲示板の管理者である、
ことを特徴とする請求項１記載の電子掲示板装置。
【請求項４】
前記閲覧許可者以外の者は、未完成状態の前記掲示板文書に対して返信することができない、
ことを特徴とする請求項１ないし３の何れか一記載の電子掲示板装置。
【請求項５】
前記掲示板文書のタイトルを前記端末装置に一覧表示するタイトル表示手段を備え、
このタイトル表示手段は、前記文書状態判断手段により前記掲示板文書の文書状態が未完成状態であると判断された場合、当該掲示板文書の閲覧が許可されている閲覧許可者がログインした前記端末装置にのみ、タイトル一覧表示の中に当該掲示板文書のタイトルを表示する、
ことを特徴とする請求項１ないし４の何れか一記載の電子掲示板装置。
【請求項６】
前記タイトル表示手段は、前記端末装置における前記掲示板文書のタイトル一覧表示画面は、文書状態が未完成状態であると判断された前記掲示板文書には、文書状態が未完成状態である旨を視覚的に提示するマークを付与して表示する、
ことを特徴とする請求項５記載の電子掲示板装置。
【請求項７】
前記掲示板文書のタイトル一覧表示画面から前記掲示板文書の個別の文書表示画面へ移動する画面移動手段を備え、
この画面移動手段は、前記文書状態判断手段により前記掲示板文書の文書状態が未完成状態であると判断された場合、当該掲示板文書の閲覧が許可されている閲覧許可者がログインした前記端末装置においてのみ、前記掲示板文書のタイトル一覧表示画面から前記掲示板文書の個別文書表示画面へ移動する、
ことを特徴とする請求項５または６記載の電子掲示板装置。
【請求項８】
利用者毎に前記掲示板文書の未読・既読を管理し、未読の前記掲示板文書には未読である旨を視覚的に提示する未読文書管理手段を備え、
この未読文書管理手段は、前記文書状態判断手段により文書状態が未完成状態であると判断された前記掲示板文書については、未読である旨の視覚的な提示は行なわない、
ことを特徴とする請求項１ないし７の何れか一記載の電子掲示板装置。
【請求項９】
複数の端末装置をネットワークを介して接続し、前記端末装置から入力された利用者の意見である掲示板文書の投稿、閲覧を可能とする電子掲示板装置を制御するコンピュータに読取可能なプログラムであって、
投稿の際に、前記掲示板文書の文書状態の入力を許容する文書状態入力機能と、
この文書状態入力機能により入力された前記掲示板文書の文書状態を、当該掲示板文書に対応付けて保持する文書状態保持機能と、
投稿された前記掲示板文書の表示の際に、当該掲示板文書の文書状態が未完成状態であるか否かを前記文書状態保持機能によって保持されている文書状態に基づいて判断する文書状態判断機能と、
この文書状態判断機能により投稿された前記掲示板文書の文書状態が未完成状態であると判断された場合、当該掲示板文書の閲覧が許可されている閲覧許可者がログインした前記端末装置に限り当該掲示板文書を閲覧可能に表示する文書表示機能と、
を前記コンピュータに実行させることを特徴とするプログラム。
【請求項１０】
前記閲覧許可者は、前記掲示板文書の作成者である、
ことを特徴とする請求項９記載のプログラム。
【請求項１１】
前記閲覧許可者は、掲示板の管理者である、
ことを特徴とする請求項９記載のプログラム。
【請求項１２】
前記閲覧許可者以外の者は、未完成状態の前記掲示板文書に対して返信することができない、
ことを特徴とする請求項９ないし１１の何れか一記載のプログラム。
【請求項１３】
前記掲示板文書のタイトルを前記端末装置に一覧表示するタイトル表示機能を前記コンピュータに実行させ、
このタイトル表示機能は、前記文書状態判断機能により前記掲示板文書の文書状態が未完成状態であると判断された場合、当該掲示板文書の閲覧が許可されている閲覧許可者がログインした前記端末装置にのみ、タイトル一覧表示の中に当該掲示板文書のタイトルを表示する、
ことを特徴とする請求項９ないし１２の何れか一記載のプログラム。
【請求項１４】
前記タイトル表示機能は、前記端末装置における前記掲示板文書のタイトル一覧表示画面は、文書状態が未完成状態であると判断された前記掲示板文書には、文書状態が未完成状態である旨を視覚的に提示するマークを付与して表示する、
ことを特徴とする請求項１３記載のプログラム。
【請求項１５】
前記掲示板文書のタイトル一覧表示画面から前記掲示板文書の個別の文書表示画面へ移動する画面移動機能を前記コンピュータに実行させ、
この画面移動機能は、前記文書状態判断機能により前記掲示板文書の文書状態が未完成状態であると判断された場合、当該掲示板文書の閲覧が許可されている閲覧許可者がログインした前記端末装置においてのみ、前記掲示板文書のタイトル一覧表示画面から前記掲示板文書の個別文書表示画面へ移動する、
ことを特徴とする請求項１３または１４記載のプログラム。
【請求項１６】
利用者毎に前記掲示板文書の未読・既読を管理し、未読の前記掲示板文書には未読である旨を視覚的に提示する未読文書管理機能を前記コンピュータに実行させ、
この未読文書管理機能は、前記文書状態判断機能により文書状態が未完成状態であると判断された前記掲示板文書については、未読である旨の視覚的な提示は行なわない、
ことを特徴とする請求項９ないし１５の何れか一記載のプログラム。
【請求項１７】
請求項９ないし１６の何れか一記載のプログラムを記憶することを特徴とする記憶媒体。
【発明の詳細な説明】
【技術分野】
【０００１】
本発明は、利用者側に位置する複数の端末装置をネットワークを介して接続し、端末装置から入力された利用者の意見である掲示板データの投稿、閲覧を可能とする電子掲示板装置、プログラムおよび記憶媒体に関する。
【背景技術】
【０００２】
近年、利用者間において情報の伝達やディスカッションを行うために電子掲示板が多く利用されている。電子掲示板は、ある利用者が記事（掲示板文書）の投稿を行うと、他の利用者（複数）はこれを閲覧することができ、読んだ利用者の中である１人がこれに返信を行うと、それもほかの利用者が閲覧できるようになっている。この繰り返しによって、複数の利用者間で相互に意見交換を行うことが可能となる。また、リアルタイムのやり取りには参加できなかった利用者も、過去の発言を読み進むことによって、議論の過程を知ることができる。つまり、利用者は、電子掲示板を利用することで任意の時刻に記事の投稿、閲覧が可能になり、非同期・遠隔地でのディスカッションが可能となる。
【０００３】
ところで、このような電子掲示板において長文を登録する場合は、一度に文書を登録せずに、例えば文書のタイトルに「作成中」などのコメントを入れた上で登録し、その後文書を再編集して徐々に文書を追加するなどして利用する必要があった。
【０００４】
ところが、このように文書のタイトルに「作成中」などのコメントを入れた上で登録し、その後文書を再編集して徐々に文書を追加するなどして利用する場合には、他の掲示板利用者にとっては未完の文書が電子掲示板に登録されているため、完成度の低い文書を閲覧する場合が増加し、利用し難いものになっている。
【０００５】
なお、未完の文書は、電子掲示板に登録せずに作成者のローカル環境で作成・保存し、完成した後に電子掲示板に登録する方法もあるが、このような利用では未完の文書が複数あったり、複数の端末を利用する場合は、それらの未完文書ファイルも端末間で移動する必要があるため、電子掲示板の操作性を著しく下げることになる。
【０００６】
さらに、特許文献１には、作成／修正途中の文書の閲覧を可能とした電子掲示板システムが提案されている。この特許文献１の電子掲示板システムによれば、未完の文書が他の利用者に閲覧されることを防ぐことができる。
【０００７】
【特許文献１】特開平１１−０２７２９４号公報
【発明の開示】
【発明が解決しようとする課題】
【０００８】
しかしながら、特許文献１に提案されているような電子掲示板システムによれば、未完成状態である作成／修正途中の文書の閲覧を許可するために、文書の登録の際に同時閲覧の可否を示す識別情報を入力しなければならず、手間がかかるという問題がある。
【０００９】
本発明は、未完成状態の掲示板文書を閲覧許可者以外の者に閲覧されることを防止するとともに、閲覧許可者以外の掲示板利用者が未完成状態の掲示板文書を閲覧することを防止することを目的とする。
【課題を解決するための手段】
【００１０】
請求項１記載の発明の電子掲示板装置は、複数の端末装置をネットワークを介して接続し、前記端末装置から入力された利用者の意見である掲示板文書の投稿、閲覧を可能とする電子掲示板装置において、投稿の際に、前記掲示板文書の文書状態の入力を許容する文書状態入力手段と、この文書状態入力手段により入力された前記掲示板文書の文書状態を、当該掲示板文書に対応付けて保持する文書状態保持手段と、投稿された前記掲示板文書の表示の際に、当該掲示板文書の文書状態が未完成状態であるか否かを前記文書状態保持手段によって保持されている文書状態に基づいて判断する文書状態判断手段と、この文書状態判断手段により投稿された前記掲示板文書の文書状態が未完成状態であると判断された場合、当該掲示板文書の閲覧が許可されている閲覧許可者がログインした前記端末装置に限り当該掲示板文書を閲覧可能に表示する文書表示手段と、備える。
【００１１】
したがって、未完成状態の掲示板文書を閲覧許可者以外の者に閲覧されることを防止することが可能になり、また、閲覧許可者以外の掲示板利用者は未完成状態の掲示板文書を閲覧することがなくなり、操作性の高い掲示板を提供することが可能となる。
【００１２】
請求項２記載の発明は、請求項１記載の電子掲示板装置において、前記閲覧許可者は、前記掲示板文書の作成者である。
【００１３】
したがって、掲示板文書の作成者は未完成状態の文書を閲覧することが可能になる。
【００１４】
請求項３記載の発明は、請求項１記載の電子掲示板装置において、前記閲覧許可者は、掲示板の管理者である。
【００１５】
したがって、掲示板の管理者は未完成状態の文書を閲覧することが可能になる。
【００１６】
請求項４記載の発明は、請求項１ないし３の何れか一記載の電子掲示板装置において、前記閲覧許可者以外の者は、未完成状態の前記掲示板文書に対して返信することができない。
【００１７】
したがって、未完成状態の掲示板文書が登録されている場合は、閲覧許可者以外の者はその文書には返信できないことにより、未完成状態の掲示板文書に返信することによる不整合がなくなり、操作性の高い掲示板を提供することが可能となる。
【００１８】
請求項５記載の発明は、請求項１ないし４の何れか一記載の電子掲示板装置において、前記掲示板文書のタイトルを前記端末装置に一覧表示するタイトル表示手段を備え、このタイトル表示手段は、前記文書状態判断手段により前記掲示板文書の文書状態が未完成状態であると判断された場合、当該掲示板文書の閲覧が許可されている閲覧許可者がログインした前記端末装置にのみ、タイトル一覧表示の中に当該掲示板文書のタイトルを表示する。
【００１９】
したがって、未完成状態の掲示板文書のタイトルは、当該掲示板文書の閲覧が許可されている閲覧許可者がログインした前記端末装置にのみ表示され、閲覧許可者以外の者が掲示板を利用している場合には表示されないことにより、閲覧許可者以外の掲示板利用者は未完成状態の掲示板文書のタイトルを閲覧することがなくなり、操作性の高い掲示板を提供することが可能となる。
【００２０】
請求項６記載の発明は、請求項５記載の電子掲示板装置において、前記タイトル表示手段は、前記端末装置における前記掲示板文書のタイトル一覧表示画面は、文書状態が未完成状態であると判断された前記掲示板文書には、文書状態が未完成状態である旨を視覚的に提示するマークを付与して表示する。
【００２１】
したがって、掲示板文書のタイトルを一覧表示する画面において、未完成状態の掲示板文書には文書状態が未完成状態である旨を視覚的に提示するマークを付与して表示させることにより、未完成状態の掲示板文書が一目で把握でき、操作性の高い掲示板を提供することが可能となる。
【００２２】
請求項７記載の発明は、請求項５または６記載の電子掲示板装置において、前記掲示板文書のタイトル一覧表示画面から前記掲示板文書の個別の文書表示画面へ移動する画面移動手段を備え、この画面移動手段は、前記文書状態判断手段により前記掲示板文書の文書状態が未完成状態であると判断された場合、当該掲示板文書の閲覧が許可されている閲覧許可者がログインした前記端末装置においてのみ、前記掲示板文書のタイトル一覧表示画面から前記掲示板文書の個別文書表示画面へ移動する。
【００２３】
したがって、文書状態が未完成状態である掲示板文書のタイトル一覧表示画面から掲示板文書の個別文書表示画面への移動は、当該掲示板文書の閲覧が許可されている閲覧許可者がログインした端末装置においてのみ移動可能で、閲覧許可者以外の者が掲示板を利用している場合には移動できないことにより、閲覧許可者以外の掲示板利用者は未完成状態の掲示板文書を閲覧することがなくなり、操作性の高い掲示板を提供することが可能となる。
【００２４】
請求項８記載の発明は、請求項１ないし７の何れか一記載の電子掲示板装置において、利用者毎に前記掲示板文書の未読・既読を管理し、未読の前記掲示板文書には未読である旨を視覚的に提示する未読文書管理手段を備え、この未読文書管理手段は、前記文書状態判断手段により文書状態が未完成状態であると判断された前記掲示板文書については、未読である旨の視覚的な提示は行なわない。
【００２５】
したがって、未完成状態の掲示板文書は、未読であっても未読である旨の視覚的な提示は行なわないことにより、未完成状態の掲示板文書が未読表示されることを防ぎ、操作性の高い掲示板を提供することが可能となる。
【００２６】
請求項９記載の発明のプログラムは、複数の端末装置をネットワークを介して接続し、前記端末装置から入力された利用者の意見である掲示板文書の投稿、閲覧を可能とする電子掲示板装置を制御するコンピュータに読取可能なプログラムであって、投稿の際に、前記掲示板文書の文書状態の入力を許容する文書状態入力機能と、この文書状態入力機能により入力された前記掲示板文書の文書状態を、当該掲示板文書に対応付けて保持する文書状態保持機能と、投稿された前記掲示板文書の表示の際に、当該掲示板文書の文書状態が未完成状態であるか否かを前記文書状態保持機能によって保持されている文書状態に基づいて判断する文書状態判断機能と、この文書状態判断機能により投稿された前記掲示板文書の文書状態が未完成状態であると判断された場合、当該掲示板文書の閲覧が許可されている閲覧許可者がログインした前記端末装置に限り当該掲示板文書を閲覧可能に表示する文書表示機能と、を前記コンピュータに実行させる。
【００２７】
したがって、未完成状態の掲示板文書を閲覧許可者以外の者に閲覧されることを防止することが可能になり、また、閲覧許可者以外の掲示板利用者は未完成状態の掲示板文書を閲覧することがなくなり、操作性の高い掲示板を提供することが可能となる。
【００２８】
請求項１０記載の発明は、請求項９記載のプログラムにおいて、前記閲覧許可者は、前記掲示板文書の作成者である。
【００２９】
したがって、掲示板文書の作成者は未完成状態の文書を閲覧することが可能になる。
【００３０】
請求項１１記載の発明は、請求項９記載のプログラムにおいて、前記閲覧許可者は、掲示板の管理者である。
【００３１】
したがって、掲示板の管理者は未完成状態の文書を閲覧することが可能になる。
【００３２】
請求項１２記載の発明は、請求項９ないし１１の何れか一記載のプログラムにおいて、前記閲覧許可者以外の者は、未完成状態の前記掲示板文書に対して返信することができない。
【００３３】
したがって、未完成状態の掲示板文書が登録されている場合は、閲覧許可者以外の者はその文書には返信できないことにより、未完成状態の掲示板文書に返信することによる不整合がなくなり、操作性の高い掲示板を提供することが可能となる。
【００３４】
請求項１３記載の発明は、請求項９ないし１２の何れか一記載のプログラムにおいて、前記掲示板文書のタイトルを前記端末装置に一覧表示するタイトル表示機能を前記コンピュータに実行させ、このタイトル表示機能は、前記文書状態判断機能により前記掲示板文書の文書状態が未完成状態であると判断された場合、当該掲示板文書の閲覧が許可されている閲覧許可者がログインした前記端末装置にのみ、タイトル一覧表示の中に当該掲示板文書のタイトルを表示する。
【００３５】
したがって、未完成状態の掲示板文書のタイトルは、当該掲示板文書の閲覧が許可されている閲覧許可者がログインした前記端末装置にのみ表示され、閲覧許可者以外の者が掲示板を利用している場合には表示されないことにより、閲覧許可者以外の掲示板利用者は未完成状態の掲示板文書のタイトルを閲覧することがなくなり、操作性の高い掲示板を提供することが可能となる。
【００３６】
請求項１４記載の発明は、請求項１３記載のプログラムにおいて、前記タイトル表示機能は、前記端末装置における前記掲示板文書のタイトル一覧表示画面は、文書状態が未完成状態であると判断された前記掲示板文書には、文書状態が未完成状態である旨を視覚的に提示するマークを付与して表示する。
【００３７】
したがって、掲示板文書のタイトルを一覧表示する画面において、未完成状態の掲示板文書には文書状態が未完成状態である旨を視覚的に提示するマークを付与して表示させることにより、未完成状態の掲示板文書が一目で把握でき、操作性の高い掲示板を提供することが可能となる。
【００３８】
請求項１５記載の発明は、請求項１３または１４記載のプログラムにおいて、前記掲示板文書のタイトル一覧表示画面から前記掲示板文書の個別の文書表示画面へ移動する画面移動機能を前記コンピュータに実行させ、この画面移動機能は、前記文書状態判断機能により前記掲示板文書の文書状態が未完成状態であると判断された場合、当該掲示板文書の閲覧が許可されている閲覧許可者がログインした前記端末装置においてのみ、前記掲示板文書のタイトル一覧表示画面から前記掲示板文書の個別文書表示画面へ移動する。
【００３９】
したがって、文書状態が未完成状態である掲示板文書のタイトル一覧表示画面から掲示板文書の個別文書表示画面への移動は、当該掲示板文書の閲覧が許可されている閲覧許可者がログインした端末装置においてのみ移動可能で、閲覧許可者以外の者が掲示板を利用している場合には移動できないことにより、閲覧許可者以外の掲示板利用者は未完成状態の掲示板文書を閲覧することがなくなり、操作性の高い掲示板を提供することが可能となる。
【００４０】
請求項１６記載の発明は、請求項９ないし１５の何れか一記載のプログラムにおいて、利用者毎に前記掲示板文書の未読・既読を管理し、未読の前記掲示板文書には未読である旨を視覚的に提示する未読文書管理機能を前記コンピュータに実行させ、この未読文書管理機能は、前記文書状態判断機能により文書状態が未完成状態であると判断された前記掲示板文書については、未読である旨の視覚的な提示は行なわない。
【００４１】
したがって、未完成状態の掲示板文書は、未読であっても未読である旨の視覚的な提示は行なわないことにより、未完成状態の掲示板文書が未読表示されることを防ぎ、操作性の高い掲示板を提供することが可能となる。
【００４２】
請求項１７記載の発明の記憶媒体は、請求項９ないし１６の何れか一記載のプログラムを記憶する。
【００４３】
したがって、請求項９ないし１６の何れか一記載のプログラムを有体物の形態で取り扱うことが可能となる。
【発明の効果】
【００４４】
本発明によれば、未完成状態の掲示板文書を閲覧許可者以外の者に閲覧されることを防止することができ、また、閲覧許可者以外の掲示板利用者は未完成状態の文書を閲覧することができなくなるので、操作性の高い掲示板を提供することができる。
【発明を実施するための最良の形態】
【００４５】
本発明の実施の一形態を図１ないし図７に基づいて説明する。
【００４６】
図１は、本実施の形態の電子掲示板システムのシステム構築例を示す模式図である。本実施の形態の電子掲示板システムでは、図１に示すように、電子掲示板装置であるサーバコンピュータ（以下、サーバという）２にＬＡＮ（Local Area Network）等のネットワーク３を介して端末装置であるクライアントコンピュータ（以下、クライアントという）４が複数台接続されたサーバクライアントシステム１を想定する。このようなサーバクライアントシステム１は、例えばイントラネット５を介して別のサーバクライアントシステム１とのデータ通信可能に構築され、インターネット通信網６を介して外部環境とデータ通信可能に構築されている。
【００４７】
サーバ２は、電子掲示板プログラム７に基づき、利用者間において情報の伝達やディスカッションを行うための電子掲示板を運営する電子掲示板装置である。このサーバ２に対しては、ネットワーク３上のクライアント４からアクセスすることができる。よって、ネットワーク３上のクライアント４から、この電子掲示板にアクセスして、メッセージを書き込み、あるいは読み出したりして、複数の利用者間で相互に意見交換を行うことができる。この電子掲示板の運営については周知の技術内容であるため、詳細な説明は省略する。例えば、この電子掲示板は、特定の仕事などを共同で遂行するチームの仕事の場として、そのチームのメンバーがアクセスして投稿を行うものとする。このようにサーバ２は電子掲示板を運営しているので、その電子掲示板に書き込まれた文書データである掲示板データ等の保存・管理を行うデータベース８もサーバ２に備えられている。掲示板データには、投稿された文書ごとに、少なくとも投稿者（作成者）のハンドルネーム、投稿日時、レスポンス元の文書の情報などのデータが含まれる。
【００４８】
クライアント４は、一般的なパーソナルコンピュータ等であり、サーバ２で運営される電子掲示板へ利用者が記事を投稿、閲覧する端末装置として機能する。
【００４９】
図２は、サーバ２のモジュール構成図である。サーバ２は、情報処理を行うＣＰＵ（Central Processing Unit）１１、ＢＩＯＳなどを記憶した読出し専用メモリであるＲＯＭ（Read Only Memory）１２、各種データを書換え可能に記憶するＲＡＭ（Random Access Memory）１３、掲示板データ等を記憶するデータベース８として機能するとともに各種のプログラムを格納するＨＤＤ（Hard Disk Drive）１４、記憶媒体２０を用いて情報を保管したり外部に情報を配布したり外部から情報を入手するためのＣＤ−ＲＯＭドライブ等の媒体駆動装置１５、ネットワーク３を介して外部の他のコンピュータと通信により情報を伝達するための通信制御装置１６、処理経過や結果等を操作者に表示するＣＲＴ（Cathode Ray Tube）やＬＣＤ（Liquid Crystal Display）等の表示装置１７、並びに操作者がＣＰＵ１１に命令や情報等を入力するためのキーボードやマウス等の入力装置１８等から構成されており、これらの各部間で送受信されるデータをバスコントローラ１９が調停して動作する。
【００５０】
このようなサーバ２では、ユーザが電源を投入するとＣＰＵ１１がＲＯＭ１２内のローダーというプログラムを起動させ、ＨＤＤ１４よりＯＳ（Operating System）というコンピュータのハードウェアとソフトウェアとを管理するプログラムをＲＡＭ１３に読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）、ＵＮＩＸ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００５１】
ここで、サーバ２は、アプリケーションプログラムとして、電子掲示板プログラム７をＨＤＤ１４に記憶している。この意味で、ＨＤＤ１４は、電子掲示板プログラム７を記憶する記憶媒体として機能する。
【００５２】
また、一般的には、サーバ２のＨＤＤ１４にインストールされる動作プログラムは、ＣＤ−ＲＯＭやＤＶＤなどの各種の光ディスク、各種光磁気ディスク、フレキシブル・ディスクなどの各種磁気ディスク、半導体メモリ等の各種方式のメディア等の記憶媒体２０に記録され、この記憶媒体２０に記録された動作プログラムがＨＤＤ１４にインストールされる。このため、ＣＤ−ＲＯＭ等の光情報記録メディアやＦＤ等の磁気メディア等の可搬性を有する記憶媒体２０も、電子掲示板プログラム７を記憶する記憶媒体となり得る。さらには、電子掲示板プログラム７は、例えば通信制御装置１６を介して外部から取り込まれ、ＨＤＤ１４にインストールされても良い。
【００５３】
サーバ２は、ＯＳ上で動作する電子掲示板プログラム７が起動すると、この電子掲示板プログラム７に従い、ＣＰＵ１１が各種の演算処理を実行して各部を集中的に制御する。サーバ２のＣＰＵ１１が実行する各種の演算処理のうち、本実施の形態の特長的な処理について以下に説明する。
【００５４】
図３は、サーバ２の機能構成を示す機能ブロック図である。図３に示すように、サーバ２は、電子掲示板プログラム７に従うことにより、掲示板文書登録手段３１と、掲示板文書表示手段３２とを備える。以下、この各機能について説明する。
【００５５】
掲示板文書登録手段３１は、クライアント４に文書登録画面を表示させ、文書登録画面を介して利用者が入力した掲示板文書を作成中（未完成状態）の文書または完成した文書としてデータベース８に登録する機能を発揮するものである。すなわち、利用者は、作成中の文書として電子掲示板に登録するか、完成した文書として電子掲示板に登録するかを、選択して登録が可能である。具体的には、掲示板文書登録手段３１は、クライアント４の表示装置に図４に示すような文書登録画面Ｐ１を表示させる。文書登録画面Ｐ１には、「タイトル」を入力するためのタイトル入力欄Ｓ１、「作成者」を入力するための作成者入力欄Ｓ２、「本文」を入力するための本文入力欄Ｓ３が表示される。また、文書登録画面Ｐ１には、「作成中として登録」ボタンＢ１と「登録」ボタンＢ２とが表示される。利用者は、これらのタイトル入力欄Ｓ１、作成者入力欄Ｓ２、本文入力欄Ｓ３に各項目に応じた入力を行なった後、「作成中として登録」ボタンＢ１と「登録」ボタンＢ２との何れか一方を操作する。すなわち、文書登録画面Ｐ１は、投稿の際に、掲示板文書の文書状態の入力を許容する文書状態入力手段として機能するものである。そして、このように文書を登録する際に「作成中として登録」ボタンＢ１が操作された場合には、作成中の文書としてデータベース８に登録され、「登録」ボタンＢ２が操作された場合には、完成した文書として登録されることになる。
【００５６】
ここで、図５はデータベース８のデータ構成の一例を示す模式図である。図５に示すように、データベース８には、各文書毎にタイトル、作成者（作成者ＩＤ）、文書状態、文書の本文、文書の作成日時などの文書に関連する情報が保存されている。ここでは、作成者（作成者ＩＤ）としてメールアドレスが適用されている。ここに、文書状態保持手段の機能が実行される。例えば、作成中の文書として登録された場合には、文書状態は未完成状態である「作成中」としてデータベース８に登録され、完成した文書として登録された場合には、文書状態は「完了」としてデータベース８に登録される。その際、同時に入力された文書のタイトル、作成者などもデータベース８に登録される。また、図５に示すように、データベース８には、掲示板文書の未読／既読の情報も保存されている。文書の未読／既読の情報は、文書が登録されてから文書内容表示されるまでが未読状態であり、文書内容が表示されると既読状態となる。なお、掲示板文書の未読／既読の情報は、文書状態が「完了」としてデータベース８に登録されている掲示板文書に限られる。
【００５７】
掲示板文書表示手段３２は、データベース８に登録された掲示板文書（作成中（未完成状態）の掲示板文書、または、完成した掲示板文書）について、掲示板文書の文書状態と掲示板の利用者によってクライアント４に表示させるか否かを判断する機能（文書状態判断手段）と、掲示板文書の文書状態が未完成状態であると判断された場合、当該掲示板文書の閲覧が許可されている閲覧許可者がログインしたクライアント４に限り当該掲示板文書を閲覧可能に表示させる機能（文書表示手段）とを発揮するものである。より詳細に、図６に示す表示判断処理のフローチャートを参照しつつ説明する。
【００５８】
図６に示すように、表示判断処理は、掲示板文書の一覧表示を実施する時点において、該当する掲示板文書が作成中（未完成状態）ではないと判断した場合には（ステップＳ１のＮ）、通常通り掲示板文書のタイトルや作成者をクライアント４に表示する（ステップＳ２）。
【００５９】
該当する掲示板文書が作成中（未完成状態）であると判断した場合には（ステップＳ１のＹ）、作成者が掲示板システムにログインしているユーザと同一であるか否かによって処理が異なる。作成者がログインユーザと同じでない場合には（ステップＳ３のＮ）、掲示板文書のタイトルをクライアント４に表示させずに、作成中のマークのみをクライアント４に表示する（ステップＳ４）。一方、作成者がログインユーザと同じ場合には（ステップＳ３のＹ）、掲示板文書のタイトルをクライアント４に表示するとともに、文書状態が未完成状態である旨を視覚的に提示するマークを付与してクライアント４に表示する（ステップＳ５：タイトル表示手段）。未完成状態の掲示板文書には文書状態が未完成状態である旨を視覚的に提示するマークを付与して表示させることにより、未完成状態の掲示板文書が一目で把握でき、操作性の高い掲示板を提供することが可能となる。
【００６０】
このように未完成状態の掲示板文書のタイトルは、当該掲示板文書の閲覧が許可されている閲覧許可者がログインしたクライアント４にのみ表示され、閲覧許可者以外の者が掲示板を利用している場合には表示されないことにより、閲覧許可者以外の掲示板利用者は未完成状態の掲示板文書のタイトルを閲覧することがなくなり、操作性の高い掲示板を提供することが可能となる。
【００６１】
図７は、クライアント４に表示された電子掲示板のタイトル一覧表示画面Ｐ２の一例を示す正面図である。図７に示すタイトル一覧表示画面Ｐ２のように、作成中（未完成状態）の掲示板文書ではない場合は、すなわち完成された掲示板文書である場合は、文書のタイトル、作成者、作成日時が表示されている（ａ，ｂ）。また、ログインユーザと作成者が異なる作成中（未完成状態）の掲示板文書の場合は、作成中マークのみ表示されている（ｃ）。ログインユーザと作成者が等しい作成中（未完成状態）の掲示板文書の場合は、タイトルと作成中マークが表示されている（ｄ）。
【００６２】
また、図７に示すように、タイトル一覧表示画面Ｐ２中に利用者がまだ開いていない掲示板文書がある場合には、未読状態であることを示す識別記号が付されるようになっている（ｂ）。なお、前述したように、掲示板文書の未読／既読の情報は、データベース８に保存されている。このように未読状態であることを示す識別記号を付すことにより、利用者はこの識別記号によって一覧表示中に列挙された文書群の中から読んでいない掲示板文書だけを識別することができる。ここに、未読文書管理手段の機能が実行される。なお、掲示板文書の未読／既読の情報は、文書状態が「完了」としてデータベース８に登録されている掲示板文書に限られることから、文書状態が未完成状態であると判断された掲示板文書については、未読である旨の視覚的な提示は行なわないことにより、未完成状態の掲示板文書が未読表示されることを防ぎ、操作性の高い掲示板を提供することが可能となる。
【００６３】
ここで、クライアント４に表示されたタイトル一覧表示画面Ｐ２中の完成された掲示板文書のタイトル、またはログインユーザと作成者が等しい作成中（未完成状態）の掲示板文書のタイトルをマウスなどを用いてクリックすることで、図８に示すようなその掲示板文書のタイトル、投稿者（作成者）、本文を表示する個別文書表示画面Ｐ３に遷移し（画面移動手段）、掲示板文書の本文が閲覧可能となる。一方、作成中（未完成状態）の掲示板文書でログインユーザと作成者が異なる場合は、個別文書表示画面Ｐ３へ遷移することができないため、記事（掲示板文書）を閲覧することができない。したがって、文書状態が未完成状態である掲示板文書のタイトル一覧表示画面Ｐ２から掲示板文書の個別文書表示画面Ｐ３への移動は、当該掲示板文書の閲覧が許可されている閲覧許可者がログインしたクライアント４においてのみ移動可能で、閲覧許可者以外の者が掲示板を利用している場合には移動できないことにより、閲覧許可者以外の掲示板利用者は未完成状態の掲示板文書を閲覧することがなくなり、操作性の高い掲示板を提供することが可能となる。
【００６４】
また、図８に示すように、個別文書表示画面Ｐ３には、「返信」ボタンＢ３が表示される。利用者は、個別文書表示画面Ｐ３の記事（掲示板文書）を閲覧した後、意見がある場合には、この「返信」ボタンＢ３を操作する。「返信」ボタンＢ３が操作された場合には、当該掲示板文書に対して返信をすることができる。すなわち、未完成状態の掲示板文書が登録されている場合は、閲覧許可者以外の者はその文書には返信できないことにより、未完成状態の掲示板文書に返信することによる不整合がなくなり、操作性の高い掲示板を提供することが可能となる。なお、掲示板文書に対する返信は、掲示板文書のタイトルをマウスなどを用いて右クリックすることで行えるようにしても良い。
【００６５】
このように掲示板文書の作成状態と掲示板の利用者に応じてクライアント４における掲示板文書の表示を制御する（例えば、利用者（ログインユーザ）自身の作成中文書は、一覧画面にタイトルと作成中マークとを表示し、利用者以外の作成中文書はタイトルを表示せずに作成中マークのみを表示する）ことにより、作成者は未完成状態の掲示板文書を他者に閲覧されることを防止することができ、また、作成者以外の掲示板利用者は未完成状態の掲示板文書を閲覧することがなくなるので、操作性の高い掲示板を提供することができる。
【００６６】
なお、本実施の形態においては、閲覧許可者は、掲示板文書の投稿者（作成者）であるとして説明したが、これに限るものではなく、例えば掲示板の管理者を閲覧許可者としても何ら問題はない。これにより、掲示板の管理者も未完成状態の文書を閲覧することが可能になる。このように掲示板の管理者を閲覧許可者とした場合、未完成状態の掲示板文書の作成者に対して、文書の完成を催促するメールなどが送信できるようにしても良い。
【図面の簡単な説明】
【００６７】
【図１】本発明の実施の一形態の電子掲示板システムのシステム構築例を示す模式図である。
【図２】サーバのモジュール構成図である。
【図３】サーバの機能構成を示す機能ブロック図である。
【図４】クライアントに表示された電子掲示板の文書登録画面の一例を示す正面図である。
【図５】データベースのデータ構成の一例を示す模式図である。
【図６】表示判断処理の流れを示すフローチャートである。
【図７】クライアントに表示された電子掲示板の文書一覧画面の一例を示す正面図である。
【図８】クライアントに表示された電子掲示板の個別文書表示画面の一例を示す正面図である。
【符号の説明】
【００６８】
２      電子掲示板装置
３      ネットワーク
４      端末装置
２０    記憶媒体
【図１】
2006139658.tif 000003
【図２】
2006139658.tif 000004
【図３】
2006139658.tif 000005
【図４】
2006139658.tif 000006
【図５】
2006139658.tif 000007
【図６】
2006139658.tif 000008
【図７】
2006139658.tif 000009
【図８】
2006139658.tif 000010